(57)【特許請求の範囲】
【請求項１】
天板を有し前記天板の端部にエンドを有し前記エンドに開口を形成した一対の器具本体と、前記一対の器具本体の前記エンドの前記開口に両端が挿通されて前記一対の器具本体の前記エンド同士を突き合わせた状態に連結するための連結具と、前記器具本体の前記天板および前記連結具に通してこれらを連結するねじとを備え、前記連結具は前記開口により上下方向が略位置決めされる吊り下げ照明器具。
【請求項２】
天板を有し前記天板の端部に孔部を有し前記天板の端縁の中央に切欠き状の凹部を有し前記天板の端部の下面に間隔をおいて配設されて前記天板の端面側に開口を形成する移動防止部を有する一対の器具本体と、前記一対の器具本体の前記開口に両端が挿通されて前記一対の器具本体の前記移動防止部同士を突き合わせた状態に連結するための連結具と、前記器具本体の前記天板および前記連結具に通してこれらを連結するねじとを備え、前記連結具は、前記開口により上下方向が略位置決めされるとともに、前記一対の器具本体の前記移動防止部同士を突き合わせた状態で一対の前記凹部を通る吊り下げ用支持具を有し、さらに前記一対の器具本体の前記移動防止部同士を突き合わせた状態で前記孔部に引っ掛かり前記連結具を抜け止めする一対の切り起し片を有する吊り下げ照明器具。
【発明の詳細な説明】
【０００１】
【発明の属する技術分野】
この発明は、連結設置される吊り下げ照明器具およびその連結構造に関するものである。
【０００２】
【従来の技術】
図１０および図１１に示すように、下面を開口した断面が略コの字形状の器具本体５０を備えた照明器具においては、隣接する器具本体５０の端部どうしを連結している。Ａは連結部分である。この場合、図１２および図１３に示すように、照明器具は、少なくとも器具本体５０の一端部側に設けた天板５１と、一端部側の端面に設けられ板状の連結具５３が挿入可能な開口５２とを備え、連結具５３を対向する開口５２に挿入して器具本体５０に固定することで連結している。５６はソケット、５７はソケット台である。
【０００３】
また、連結時に連結具５３と器具本体５０をねじ５４にて締結する際、連結具５３を器具本体５０の下面に押し付けて締結を行っている。あるいは、図１４および図１５に示すように、連結具５３を器具本体５０の上面に押し付けて締結を行っている場合もある。なお、上記構成では器具本体５０に吊り具５５を設けているが、連結具５３が吊り具を兼ねる場合は、器具本体５０を連結具５３側に押し付ける作業となる。
【０００４】
【発明が解決しようとする課題】
上記のように従来の照明器具では、連結時に器具本体５０と連結具５３の一方を他方に押し付けて締結を行っていたため、締結時に上下方向のがたつきがある。また、器具本体５０または連結具５３を保持しながらの作業となるため施工がやり難かった。また、連結具５３が吊り具を兼ねる場合において締結前の仮吊り状態では、連結具５３が傾き器具本体５０が落下するおそれがあった。
【０００５】
したがって、この発明の目的は、連結設置が容易に行える吊り下げ照明器具およびその連結構造を提供することである。
【０００６】
【課題を解決するための手段】
上記課題を解決するためにこの発明の請求項１記載の吊り下げ照明器具は、天板を有し前記天板の端部にエンドを有し前記エンドに開口を形成した一対の器具本体と、前記一対の器具本体の前記エンドの前記開口に両端が挿通されて前記一対の器具本体の前記エンド同士を突き合わせた状態に連結するための連結具と、前記器具本体の前記天板および前記連結具に通してこれらを連結するねじとを備え、前記連結具は前記開口により上下方向が略位置決めされるものである。
【０００７】
請求項１によれば、連結具と器具本体を締結する際、連結具または器具本体の上下移動が制限されることでがたつきを防止することができる。このため、連結具または器具本体を保持することなく締結作業が行え、連結施工が容易に行える。
【０００８】
請求項２記載の吊り下げ照明器具は、天板を有し前記天板の端部に孔部を有し前記天板の端縁の中央に切欠き状の凹部を有し前記天板の端部の下面に間隔をおいて配設されて前記天板の端面側に開口を形成する移動防止部を有する一対の器具本体と、前記一対の器具本体の前記開口に両端が挿通されて前記一対の器具本体の前記移動防止部同士を突き合わせた状態に連結するための連結具と、前記器具本体の前記天板および前記連結具に通してこれらを連結するねじとを備え、前記連結具は、前記開口により上下方向が略位置決めされるとともに、前記一対の器具本体の前記移動防止部同士を突き合わせた状態で一対の前記凹部を通る吊り下げ用支持具を有し、さらに前記一対の器具本体の前記移動防止部同士を突き合わせた状態で前記孔部に引っ掛かり前記連結具を抜け止めする一対の切り起し片を有するものである。
このため、連結具と器具本体を締結する際、連結具または器具本体の上下移動が制限されることでがたつきを防止することができ、連結具または器具本体を保持することなく締結作業が行え、連結施工が容易に行える。また切り起し片が孔部に係合することにより、安全かつ容易に連結施行が行える。
【００１２】
【発明の実施の形態】
この発明の第１の実施の形態を図１ないし図３に基づいて説明する。図１はこの発明の第１の実施の形態の吊り下げ照明器具の連結部分の分解斜視図、図２はその連結状態の断面図、図３はこの発明の実施の形態の吊り下げ照明器具の全体斜視図である。
【００１３】
図３に示すように、この照明器具は、下面を開口した断面が略コの字形状の複数の器具本体１を備え、隣接する器具本体１の端部どうしを連結している。Ａは連結部分である。この際、複数の照明器具の間で対向する開口７に挿入して器具本体１に固定される連結具６を用いている（図１）。
【００１４】
また、図１および図２に示すように、照明器具は、少なくとも器具本体１の一端部側に設けた天板５と、一端部側の端面に設けられ連結具６が挿入可能な開口７と、この開口７の近傍で連結具６の上下移動を防止するように器具本体１に配置される移動防止部８とを備えている。器具本体１の両端にはソケット２およびソケット台３を設け、天井より垂下した支持具４により吊り下げた状態で支持される。また、天板５と移動防止部８との間にて、連結具６を上下方向に関して略位置決め可能としている。
【００１５】
この場合、器具本体１に板状の連結具６を挿入しているが、器具本体１内部の側壁内面には連結具６の上下移動防止の金具（移動防止部８）が対向するように設けられ、連結具６を天板５と移動防止部８との間の開口７に挿入することができる。これに伴い、開口７の上下方向の一端部が天板５と略一致し、他端部が移動防止部８になる。また、連結具６の両側にねじ孔１０が設けられ、器具本体１の端部どうしを連結した際、ねじ孔１０に対応する器具本体１の天板５の位置にねじ挿通孔１１が設けられる。
【００１６】
上記のように連結具６を器具本体１の開口７に挿入後、ねじ１２を器具本体１の上方から天板５のねじ挿通孔１１に通し、連結具６に設けたねじ孔１０に締結する。この際、ねじ１２により連結具６を下方へ押すことになるが、器具本体１内の移動防止部８により連結具６の下への移動は制限される。このため、連結具６のがたつきが少なく、器具本体１および連結具６を保持することなく締結作業が行え、連結施工が容易に行える。
【００１７】
図４はこの発明の第１の実施の形態の変形例の吊り下げ照明器具の連結部分の分解斜視図、図５はその連結状態の断面図である。図４および図５に示すように、この吊り下げ照明器具は、上記の構成とは逆にねじ１２を下面から締結する。すなわち、連結具６の両側にねじ挿通孔１１が設けられ、器具本体１の端部どうしを連結した際、ねじ挿通孔１１に対応する器具本体１の天板５の位置にねじ孔１０が設けられる。
【００１８】
この場合、連結具６を器具本体１の開口７に挿入後、ねじ１２を器具本体１の下方から連結具６のねじ挿通孔１１に通し、天板５に設けたねじ孔１０に締結する。このねじ締結時の押し付けにより、連結具６を上方へ押すことになるが、器具本体１の天板５により連結具６の上への移動は制限され、上記の構成と同様の作用効果が得られる。
【００１９】
この発明の第２の実施の形態を図６に基づいて説明する。図６はこの発明の第２の実施の形態の吊り下げ照明器具の連結部分の分解斜視図である。
【００２０】
図６に示すように、器具本体１の端部に第１の実施の形態の移動防止部の代わりにエンド１５が設けられ、このエンド１５どうしを突き合わせて連結する構成である。この場合、エンド１５に連結具６が入るスリット部（開口）１６が設けられている。このスリット部１６は、連結具６を上下方向だけでなく水平方向に関して略位置決め可能としている。すなわち、このスリット部１６の横幅を連結具６の横幅にほぼ合わせてクリアランスを小さくすることで連結具６の横方向のがたつきも上下方向と同時に制限することができる。
【００２１】
また、器具本体１と連結具６の他の構成は第１の実施の形態と同様である。この場合、ねじ孔１０とねじ挿通孔１１は図１と同様の構成にしたが、図４と同様の構成でもよい。その他の構成は、第１の実施の形態と同様である。
【００２２】
連結時にこのスリット部１６に連結具６を挿通して締結を行う。この場合、スリット部１６の下側のエンド１５の部分が連結具６の上下方向の移動防止部１５ａとなり、天板５と移動防止部１５ａとの間にて、連結具６を上下方向に関して略位置決め可能とすることで、第１の実施の形態と同様の効果が得られる。さらに、上記のように連結具６の横方向のがたつきも上下方向と同時に制限することができるので、より締結作業を容易に行うことができる。なお、図６ではスリット部１６の上側にエンド１５の部分があり、天板５と移動防止部１５ａの間に介在することになるが、この部分はなくてもよい。
【００２３】
図７はこの発明の第２の実施の形態の変形例の吊り下げ照明器具の連結部分の分解斜視図である。図７に示すように、上記のエンドの代わりにソケット台３どうしを突き合わせ連結する構成である。この場合、器具本体１の端部にソケット台３を配置し、ソケット台３の外側壁に連結具６を挿入可能な開口１７を設け、その下側を移動防止部３ａとした。開口１７は連結具６を上下方向に略位置決めする構成であるが、水平方向にも略位置決めする構成にしてもよい。このように、移動防止部３ａをソケット台３で兼ねれば、別途部品を用いることなく移動防止部３ａを形成することができ、がたつきの少ない連結部の構造を安価に実施できる。
【００２４】
この発明の第３の実施の形態を図８および図９に基づいて説明する。図８はこの発明の第３の実施の形態の吊り下げ照明器具の連結部分の分解斜視図、図９はその連結状態の断面図である。
【００２５】
図８および図９に示すように、連結具２０が吊り具を兼ねる構成である。連結具２０はコの字形に形成され、中央に吊り下げ用のパイプ（支持具）２１が挿通されてその端部で連結具２０を支持している。また、連結具２０には図２と同様のねじ挿通孔１１が設けられ、さらに両側に切り起こし片２２が設けられている。この切り起こし片２２は、連結具２０を器具本体１の開口２５に挿入する前の状態で、挿入する側の器具本体１の端面と反対側が切り起こされている。
【００２６】
器具本体１は、端部どうしを連結した際、ねじ挿通孔１１に対応する天板５の位置にねじ孔１０が設けられ、天板５には切り起こし片２２を引っ掛けることが可能な孔部２３が形成されている。また、器具本体１の開口２５の近傍に連結具２０の上下方向の移動防止部２４を配置し、天板５と移動防止部２４との間にて、連結具６を上下方向に関して略位置決め可能としている。この場合、移動防止部２４は、連結具２０を配置できるようにハット形に形成してあり、その鍔部が器具本体１の側壁に固定されている。また、移動防止部２４のねじ孔１０に対応する位置に挿通孔２６が設けてあり、ねじ１２を締め付け可能としている。また、連結状態で支持具２１が納まる凹部２７が器具本体１の端部に設けてある。なお、図１と同様に連結具２０にねじ孔１０、器具本体１の天板５にねじ挿通孔１１を設ける構成にしてもよい。その他の構成は、第１の実施の形態と同様である。
【００２７】
連結時において、連結具２０は天板５と移動防止部２４によって形成される開口２５に挿入され、ねじ１２により締結される。これにより、器具本体１の連結部分で吊り下げを行う場合でも、吊り具を兼ねた連結具２０でがたつきなく容易に締結することができる。この場合、連結具２０を開口２５に挿入すると、天板５により弾性変形していた切り起こし片２２が孔部２３の位置で復帰して係合する。これにより、ねじ締結を行う前の器具本体１の仮取り付け状態およびねじ１２の締結中において、器具本体１の自重によりこの係合が維持されるため、連結具２０が器具本体１から抜けてしまうことがなく、安全かつ容易に連結施工を行える。
【００２８】
【発明の効果】
この発明の請求項１記載の吊り下げ照明器具によれば、連結具と器具本体を締結する際、連結具または器具本体の上下移動が制限されることでがたつきを防止することができる。このため、連結具または器具本体を保持することなく締結作業が行え、連結施工が容易に行える。
【００２９】
請求項２では、連結具と器具本体を締結する際、連結具または器具本体の上下移動が制限されることでがたつきを防止することができ、連結具または器具本体を保持することなく締結作業が行え、連結施工が容易に行える。また切り起し片が孔部に係合することにより、安全かつ容易に連結施行が行える。
【図面の簡単な説明】
【図１】この発明の第１の実施の形態の吊り下げ照明器具の連結部分の分解斜視図である。
【図２】図１の連結状態の断面図である。
【図３】この発明の実施の形態の吊り下げ照明器具の全体斜視図である。
【図４】この発明の第１の実施の形態の変形例の吊り下げ照明器具の連結部分の分解斜視図である。
【図５】図４の連結状態の断面図である。
【図６】この発明の第２の実施の形態の吊り下げ照明器具の連結部分の分解斜視図である。
【図７】この発明の第２の実施の形態の変形例の吊り下げ照明器具の連結部分の分解斜視図である。
【図８】この発明の第３の実施の形態の吊り下げ照明器具の連結部分の分解斜視図である。
【図９】図８の連結状態の断面図である。
【図１０】従来例の全体斜視図である。
【図１１】従来例の全体正面図である。
【図１２】従来例の吊り下げ照明器具の連結部分の分解斜視図である。
【図１３】図１２の連結状態の断面図である。
【図１４】別の従来例の吊り下げ照明器具の連結部分の分解斜視図である。
【図１５】図１４の連結状態の断面図である。
【符号の説明】
１  器具本体
５  天板
６  連結具
７  開口
８  移動防止部
１２  ねじ
１５  エンド
１５ａ  移動防止部
１６  スリット部
１７  開口
２０  連結具
２４  移動防止部
２５  開口
【図１】
0004200475.tif 000002
【図２】
0004200475.tif 000003
【図３】
0004200475.tif 000004
【図４】
0004200475.tif 000005
【図５】
0004200475.tif 000006
【図６】
0004200475.tif 000007
【図７】
0004200475.tif 000008
【図８】
0004200475.tif 000009
【図９】
0004200475.tif 000010
【図１０】
0004200475.tif 000011
【図１１】
0004200475.tif 000012
【図１２】
0004200475.tif 000013
【図１３】
0004200475.tif 000014
【図１４】
0004200475.tif 000015
【図１５】
0004200475.tif 000016